(57)【要約】【課題】取りつけるアクセサリーによる重心バランスの変化に柔軟に対応しつつも良好な音声を聞きながら快適に撮影することが可能な放送用・業務用のビデオカメラを提供する。【解決手段】撮像光学系が着脱自在な第一の筺体と、表面を弾性部材で形成されているショルダーパッド部を有し、前記第一の筺体に対して、少なくとも前記撮像光学系の被写体に最も近づいた第一のポジションと前記撮像光学系の被写体から最も遠ざかった第二のポジションの２つのポジションにて着脱自在な第二の筺体とから構成され、前記第一の筺体は音声出力を行う音声出力手段を側面に有し、前記音声出力手段は前記第二の筺体の前記第一のポジションと前記第二の筺体の前記第二のポジションを結ぶ方向に長手をとり、前記音声出力手段の長手方向の長さは、前記第二の筺体の前記第一のポジションと前記第二のポジションの２点間の距離よりも長い。【選択図】図７
2018105945.tif 000002
【特許請求の範囲】
【請求項１】
撮像光学系が着脱自在な第一の筺体と、表面を弾性部材で形成されているショルダーパッド部を有し、前記第一の筺体に対して、少なくとも前記撮像光学系の被写体に最も近づいた第一のポジションと前記撮像光学系の被写体から最も遠ざかった第二のポジションの２つのポジションにて着脱自在な第二の筺体とから構成される肩乗せ型撮像装置において、前記第一の筺体は音声出力を行う音声出力手段を側面に有し、前記音声出力手段は前記第二の筺体の前記第一のポジションと前記第二の筺体の前記第二のポジションを結ぶ方向に長手をとり、前記音声出力手段の長手方向の長さは、前記第二の筺体の前記第一のポジションと前記第二のポジションの２点間の距離よりも長いことを特徴とする肩乗せ型撮像装置。
【請求項２】
前記音声出力手段は、内部に音声出力を行うスピーカー部を少なくとも２つ以上有することを特徴とする、請求項１に記載の肩乗せ型撮像装置。
【請求項３】
前記第一の筺体は、前記第二の筺体の位置を検知する位置検知手段を有することを特徴とする請求項１または２に記載の肩乗せ型撮像装置。
【請求項４】
前記第一の筺体は、前記位置検出手段の出力に応じて、前記音声出力手段を制御することを特徴とする請求項１乃至３のいずれか１項に記載の肩乗せ型撮像装置
【請求項５】
前記第一の筺体は、撮影映像を表示する表示部を有し、前記表示部は撮影者と当接する接眼部を有し、前記第一の筺体を操作するための操作部が前記音声出力手段と同一面側の前記接眼部よりも被写体側に配置されていることを特徴とする請求項１乃至４のいずれか１項に記載の肩乗せ型撮像装置。
【発明の詳細な説明】
【技術分野】
【０００１】
本発明は肩乗せ型撮像装置の構造に関するものである。
【背景技術】
【０００２】
一般的に、放送用・業務用のビデオカメラは、その本体を撮影者の肩に担いで撮影する肩乗せ型の撮影スタイルが多く採られており、撮影者の肩にかかる負担を軽減するため、ビデオカメラ底面の肩に当たる部位にショルダーパッドが設けられていることが一般的である。一般的なショルダーパッドでは、発泡ポリエチレンなどのクッション性のある材料が用いられ、さらに肩の上でビデオカメラを安定させるために、肩の形状にフィットするように下側には凹部が設けられている。また、本体には、撮影している映像の音声を確認するため、側面の撮影者の耳の当たる位置にスピーカーが設けられている。
【０００３】
またここで、放送用・業務用のビデオカメラでは、例えばスタジオ等で撮影する場合には、安定して撮影するために三脚に据え置いて使用することが一般的である。放送用・業務用のビデオカメラにおいて三脚に接続し固定するための三脚座は通常、底面の前側と後ろ側に設けられており、三脚に対して前後２箇所を同時に固定することで、三脚に安定的に固定する。そして、ショルダーパッドは前後２つの三脚座の間の凹部に配置されていることが一般的である。
【０００４】
放送用・業務用のビデオカメラでは、被写体の距離等に合わせて使用するレンズを交換出来る構造となっていることが一般的である。また、様々な撮影環境や撮影対象に対応するため、ビデオカメラ本体に対して様々なアクセサリーが取付けられるようになっている。そのため、取りつけるレンズやアクセサリーによって、ビデオカメラの重心位置は大きく変化してしまう。
【０００５】
ビデオカメラを肩の上で安定して保持するためにはビデオカメラを支えるショルダーパッド部は重心の直下に配置することが望ましい。しかし、放送用・業務用のビデオカメラではレンズやアクセサリーを交換するたびに重心位置が変化してしまい、ビデオカメラを安定的に保持出来ない重心位置となることがあるという問題があった。この問題に対応するため、ショルダーパッド部の一部が前後方向に移動可能に構成されているものが提案されている（特許文献１参照）。
【先行技術文献】
【特許文献】
【０００６】
【特許文献１】特開平８−１８６７４９号公報
【発明の概要】
【発明が解決しようとする課題】
【０００７】
しかしながら、特許文献１に記載の従来の技術では、取り付けたレンズやアクセサリーによる重心位置の変化に対応した位置にショルダーパッドを移動した際には、撮影者の耳とビデオカメラの位置関係が変わってしまう。例えば望遠撮影用の長い重たいレンズを取り付けた場合等では、重心位置はかなり前側に移動する。この時の重心位置に対応した位置にショルダーパッドを移動するとスピーカーが耳の位置から外れてしまい、撮影している映像の音声が聞こえなくなってしまうという問題があった。
【０００８】
そこで本発明は、取りつけるアクセサリーによる重心バランスの変化に柔軟に対応しつつも良好な音声を聞きながら快適に撮影することが可能な放送用・業務用のビデオカメラを提供することを目的としてなされたものである。
【課題を解決するための手段】
【０００９】
前述の目的を達成するため、本出願に係る発明は、撮像光学系が着脱自在な第一の筺体と、表面を弾性部材で形成されているショルダーパッド部を有し、前記第一の筺体に対して、少なくとも前記撮像光学系の被写体に最も近づいた第一のポジションと前記撮像光学系の被写体から最も遠ざかった第二のポジションの２つのポジションにて着脱自在な第二の筺体とから構成される肩乗せ型撮像装置において、前記第一の筺体は音声出力を行う音声出力手段を側面に有し、前記音声出力手段は前記第二の筺体の前記第一のポジションと前記第二の筺体の前記第二のポジションを結ぶ方向に長手をとり、前記音声出力手段の長手方向の長さは、前記第二の筺体の前記第一のポジションと前記第二のポジションの２点間の距離よりも長くなるように構成されていることを特徴としている。
【発明の効果】
【００１０】
以上説明したように、本発明によれば、取りつけるアクセサリーによる重心バランスの変化に柔軟に対応しつつも良好な音声を聞きながら快適に撮影することが可能な放送用・業務用のビデオカメラを提供することが可能となる。
【図面の簡単な説明】
【００１１】
【図１】肩乗せ型撮像装置の斜視図。
【図２】本体部の斜視図。
【図３】スピーカー部を示す図。
【図４】グリップユニットと連結状態の肩乗せユニットを下側から見た図。
【図５】ショルダーパッド説明図。
【図６】下方からの分解斜視図。
【図７】レンズを取り付けた状態を示す図。
【発明を実施するための形態】
【００１２】
以下に本発明の実施形態を添付図面に基づいて説明する。
＜肩乗せ型撮像装置の構成要素説明＞
まず最初に図１を用いて肩乗せ型撮像装置１００の構成を説明する。図１（ａ）は、本発明の肩乗せ型撮像装置１００を前側から見た斜視図である。図１（ｂ）は、本発明の肩乗せ型撮像装置１００を後側から見た斜視図である。なお、本実施の形態においては、被写体に向かう方向で上下左右とし、被写体側を正面と定義し説明を行う。
【００１３】
本実施例に示す肩乗せ型撮像装置１００は図１に示すように、本体部１０１、肩乗せユニット１０２、ファインダー１０３、Ｌ字アングル１０４、レンズ部１０５、バッテリー１０６、グリップユニット１０７から構成されている。肩乗せ型撮像装置１００を使用する際には、撮影者が自身の右肩の上に肩乗せユニット１０２を乗せる形で担ぎ、肩乗せ型撮像装置１００の左側面に撮影者の右頬を当てながら、右手でグリップユニット１０７を把持しバランスを取りながら保持する形態を取ることが最も安定して撮影出来る姿勢である。そのため、本実施例に示す肩乗せ型撮像装置１００も、この撮影姿勢を前提に各部の配置を行っている。
【００１４】
次に、肩乗せ型撮像装置１００の各構成要素について説明を行う。本体部１０１は、肩乗せ型撮像装置１００の撮影に関する主たる要素を持った部位であり、その詳細は後述する。肩乗せユニット１０２は、本体部１０１の底面部に連結されるユニットであり、撮影時には撮影者の肩に当接し、肩乗せ型撮像装置１００を安定的に保持する部位であり、その詳細は後述する。ファインダー１０３は、内部に液晶等の表示装置と複数の光学レンズを有する接眼光学ユニットであり、撮影中の映像信号に基づき画像を表示し、表示された画像を光学的に拡大させ、撮影者に対して現在撮影している画像情報を伝達するための部位である。
【００１５】
ファインダー１０３は、肩乗せ型撮像装置１００の左側面に後述のＬ字アングル１０４を介して本体部１０１上部に連結されている。これは、肩乗せ型撮像装置１００を担いでいる撮影者のちょうど目の正面であり、撮影時には自然にファインダーユニット１０３の最後端部の接眼部１０３１に目周辺を押し当て、内部を覗き込むことによって画像を確認することが可能になっている。これにより、例えば炎天下など、外部からの光が強い場所においても良好に撮影画像を目視することが可能となっている。
【００１６】
Ｌ字アングル１０４は、上面側から見た際にＬ字形状をした金属製の部位であり、本体部１０１とファインダー１０３を連結する部材である。なお、Ｌ字を構成する２辺のそれぞれには、正面側に開口を向けた第一レール部１０４１及び側面側に開口を向けた第二レール部１０４２が設けられている。
【００１７】
レンズ部１０５は、複数枚のレンズ群、絞り等の可動可能な複数の光学要素、およびこれらの光学要素を駆動させるアクチュエータを有しており、本体部１０１に内包されている撮像素子（不図示）上に結像する光学系である。なお、所定のレンズを移動させることにより、撮影画像の画角を変化させるズームや、被写体にピントを合わせるフォーカスを行うことができる。また、レンズ部１０５は本体部１０１に対して着脱自在に構成されている。
【００１８】
バッテリー１０６は、本体部１０１に対して着脱自在に構成されている、例えばリチウムイオン電池等の二次電池であり、肩乗せ型撮像装置１００に電力を供給するものである。また、バッテリー１０６の背面には、バッテリー保持部１０６１が設けられている。これは後述の本体部１０１に設けられているバッテリー取付部１１３と同一形状である。
【００１９】
グリップユニット１０７は、肩乗せユニット１０２に対して機械的に連結されているユニットであり、撮影時に手を添えて肩乗せ型撮像装置１００を保持するための部位である。そして、本体部１０１に対して電気的に接続されるケーブル（不図示）を有している。またズームや絞り等のレンズ部１０５のアクチュエーターを操作する部位や記録の開始停止を指示するトリガーキーなど各種操作部など撮影時に使用する操作系が設けられており、撮影時に使用する操作を片手でスムーズに行えるようになっている。
【００２０】
＜本体部の構成要素説明＞
次に、本体部１０１の構成要素について説明を図２を用いて説明する。図２（ａ）は、本発明の本体部１０１を上側前方から見た斜視図である。図２（ｂ）は、本発明の本体部１０１を下側後方から見た斜視図である。本体部１０１は図２に示すように、レンズマウント部１０８、Ｌ字アングル取付部１０９、スピーカー部１１０、操作部１１２、バッテリー取付部１１３、ネジ穴群１１４、を備えている。また、内部には図中不図示の撮像素子、制御回路、記録部などを備えている。
【００２１】
レンズマウント部１０８は、本体部１０１の正面に設けられている、レンズ部１０５が取りつく部位であり、レンズ部１０５が機械的に取りつくだけでは無く、電気接点部を備えており、本体部１０１とレンズ部１０５とは電気的にも接続される。これにより、本体部１０１はレンズ部１０５と通信し、レンズ部１０５の内部にあるアクチュエーターを制御することが可能となっている。
【００２２】
Ｌ字アングル取付部１０９は、本体部１０１の正面側レンズマウント部１０８の上方に設けられた、Ｌ字アングル１０４の第一レール部１０４１と連結する部位である。なお、この部位を軸とし、Ｌ字アングル１０４は本体部１０１に対して左右方向に所定の範囲内で任意に摺動可能である。また、Ｌ字アングル取付部１０９はＬ字アングル１０４の摺動をロックするための構成も有している。なお、ロックするための構成は既知の技術を適宜使用して構成するものとするため、本説明においては省略する。
【００２３】
スピーカー部１１０は、本体部１０１の左側側面に設けられている、音声を再生するための部位であり、上下方向の長さに対して前後方向の長さが十分長い、横長の形状をしている。なお、本発明のスピーカー部１１０では、前後方向の長さは上下方向の長さの２倍以上の長さを有している。
【００２４】
ここでスピーカー部１１０を図３に示す。図３（ａ）は、本発明のスピーカー部１１０を上側前方から見た斜視図である。図３（ｂ）は、本発明のスピーカー部１１０の断面図である。スピーカー部１１０は図３に示すように、内部に音声を発生させるスピーカー１１１が複数配置されている。そして、それぞれのスピーカー１１１はスピーカー部１１０の内側に一体に設けられた壁１１０１により、正面部を密閉され、独立した部屋形状に分離されている。また、スピーカー部１１０の外側と内側とは多数設けられた穴部１１０２で連通している。
【００２５】
なお、スピーカー部１１０は肩乗せ型撮像装置１００を肩に担ぐ、前述の撮影姿勢の時に撮影者の右耳が当接する部位に設けられている。操作部１１２は、撮影時の設定の変更を行う際に撮影者が操作するボタンやレバー類から構成された部位であり、本体部１０１の左側側面の前側に配置されている。バッテリー取付部１１３は、本体部１０１の後方に設けらた、バッテリー１０６を着脱自在に保持する部位であり、バッテリー１０６を機械的に保持しつつ電気的にも接続する部位である。ネジ穴群１１３は、本体部１０１の底面側に前後方向に所定の間隔で等間隔に設けられた複数のネジ穴１１３１である。
【００２６】
＜肩乗せユニットの構成要素説明＞
次に肩乗せユニット１０２の構成要素について図４を用いて説明する。図４はグリップユニット１０７と連結状態の肩乗せユニット１０２を下側から見た図である。肩乗せユニット１０２は図４に示すように、ベース部材１１５、前側三脚座１１６、後ろ側三脚座１１７、バー１１８、バーストッパー１１９、前側ショルダーパッド１２０、後ろ側ショルダーパッド１２１から構成されている。
【００２７】
ベース部材１１５は、肩乗せユニット１０２を構成する種々の部材が取りつけるための土台となるための部材である。また、ベース部材１１５には、上下方向に貫通する長穴１１５１が左右対称な形で複数設けられている。（図４中では４箇所）
前側三脚座１１６、後ろ側三脚座１１７は、図中不図示の三脚に対して肩乗せ型撮像装置１００を固定するための部材であり、それぞれ三脚側の固定機構の形状に対応した形状をしている。なお前側三脚座１１５と後ろ側三脚座１１７は所定の間隔をもってベース部材１１５に対して強固に固定されている。
【００２８】
バー１１８は、ベース部材１１５から前方に突出する形で２本配設されている棒状の中空部材であり、２本のバー１１８は並行に併設されている。なお、バー１１８はベース部材１１５から取り外すことも可能な構成となっている。バーストッパー１１９は、２本のバー１１８先端に固定されている２本のバー１１８を繋ぐキャップ状の部材であり、２本のバー１１８に対して強固に固定されている。グリップユニット１０７は、２本のバー１１８に吊られる形で肩乗せユニット１０２と連結されている。そして、グリップユニット１０７は、２本のバー１１８に沿って前後方向に摺動可能かつ任意の位置にて固定可能な構成となっている。
【００２９】
なお、グリップユニット１０７の前後方向への移動機構は既知の技術を用いた移動機構であるため、その構造等の詳細は本実施例では割愛する。
【００３０】
グリップユニット１０７は前述のようにベース部材１１５とバーストッパー１１９に挟まれる形でバー１１８に吊られている。そのため、前後に摺動したとしてもベース部材１１５かバーストッパー１１９のどちらか一方に衝突するため、バー１１８から抜けおちてしまうと事はなく安定して撮影を行う事が可能となっている。また、バー１１８及びバー１１８に吊るされているグリップユニット１０７を取り外した状態の肩乗せユニット１０２を本体部１０１に取付けて、グリップ部が一体に形成されているレンズ部（不図示）を用いて撮影することも可能である。
【００３１】
前側ショルダーパッド１２０は、ベース部材１１５の下側に設けられた撮影時に撮影者の肩に当接する部位であり、表面を発泡ポリエチレンなどのクッション性のある材料で構成し、金属製のフレームが内包されている部材である。そして、一部露出しているフレーム部を挟みこむ形でネジ１２２にてべース部材１１５と一体となるよう強固に固定されている。
【００３２】
後ろ側ショルダーパッド１２１も、前側ショルダーパッド１２０と同様にベース部材１１５の下側に設けられた撮影時に撮影者の肩に当接する部位であり、表面を発泡ポリエチレンなどのクッション性のある材料で構成し、金属製のフレームが内包されている部材である。後ろ側ショルダーパッド１２１は、ベース部材１１５に対して既知の移動機構（不図示）を介して前後方向に移動可能に連結されている。
【００３３】
後ろ側ショルダーパッド１２１は、前側ショルダーパッド１２０に当接したポジションと、前側ショルダーパッド１２０から所定の距離だけ離間した２つのポジションの間を前後方向に移動可能であり、その途中のポジションにおいても任意の場所でロック可能な構成となっている。なお、後ろ側ショルダーパッド１２１の移動機構のロック及び解除の作業は肩乗せ型撮像装置１００を肩に担いだ状態においても片手で簡単に操作できるものとなっている。
【００３４】
なお、後ろ側ショルダーパッド１２１の前後方向への移動機構は既知の技術を用いた移動機構であるため、その構造等の詳細は本実施例では割愛する。前側ショルダーパッド１２０及び後ろ側ショルダーパッド１２１は、撮影時には肩乗せ型撮像装置１００の自重を受ける。それにより、表面近傍の発泡ポリエチレンで形成されている部位が変形するが、内部にフレームが入っているため全体としては大きく変形することなく、一定の範囲内で形状を維持する、そのため肩乗せ型撮像装置１００を安定して保持することが可能となる。
【００３５】
以上説明したような肩乗せユニット１０２の構成とすることによって、撮影者自身の体格に合わせて把持する手の位置と肩の位置関係を調整することが可能となり、最も安定した姿勢で撮影することが可能となっている。
【００３６】
＜ショルダーパッドの詳細説明＞
ここで、前側ショルダーパッド１２０及び後ろ側ショルダーパッド１２１の詳細について図５を用いて説明する。図５（ａ）は、後ろ側ショルダーパッド１２１を前側に移動させた状態を示す図である。図５（ｂ）は、後ろ側ショルダーパッド１２１を後ろ側に移動させた状態を示す図である。前側ショルダーパッド１２０と後ろ側ショルダーパッド１２１は、前後方向に分割されている形状をしており、後ろ側ショルダーパッド１２１に形成されている凸部１２３と前側ショルダーパッド１２０に形成されている切り欠き部１２４は前後方向に互いにオーバーラップする形で嵌り込んで組み合わさっている。
【００３７】
この時、凸部１２３と切り欠き部１２４のオーバーラップ量は後ろ側ショルダーパッド１２１の移動量よりも十分に長く設定されており、後ろ側ショルダーパッド１２１を最も後ろ側に移動させた状態においても、凸部１２３と切り欠き部１２４はオーバーラップした状態を保つ関係になている。これにより、後ろ側ショルダーパッド１２１の位置にかかわらず常に撮影者の肩に安定的に当接することが可能となっている。
【００３８】
また、前側ショルダーパッド１２０と後ろ側ショルダーパッド１２１は組み合わさった状態を側方より見ると、円弧形状の凹となっている。前側ショルダーパッド１２０と後ろ側ショルダーパッド１２１によって形成される円弧形状の凹は人間工学に基づき形作られており、極めて自然な形で撮影者の肩に対して当接する。これにより、肩乗せ型撮像装置１００は安定して保持することが可能となる。
【００３９】
なお、本実施例においては、後ろ側ショルダーパッド１２１のみがベース部材１１５に対して移動可能な構成としたが、移動可能なショルダーパッドを逆転させることや、撮影者の肩に当接する部位を２つではなく３つ以上のショルダーパッドにて構成し、そのうちの複数、又は全てが移動可能な構成などにしても一向に構わない。
【００４０】
ここまでで、肩乗せ型撮像装置１００を構成する本体部１０１及び肩乗せユニット１０２の構成を説明したが、肩乗せ型撮像装置１００は、この他にも動画を記録するための機能を果たす為に必要な種々の構成要素を有している。しかし、その構成や機能の詳細は本発明の本質にかかわりが少ないため説明を省略する。
【００４１】
＜肩乗せユニットの締結方法説明＞
次に本体部１０１に対する肩乗せユニット１０２の固定方法について図６を用いて説明する。図６は本体部１０１に対する肩乗せユニット１０２の固定方法を説明する分解斜視図である。肩乗せユニット１０２の本体部１０１に対する固定方法は、図６に示すように、ベース部材１１５に設けられている長穴１１５１を取付ネジ１２５が貫通し、取付ネジ１２５でベース部材１１５を挟み込む形で本体部１０１下側のネジ穴群１１４の一部に対して締結される。
【００４２】
この時、ネジ穴１１４１は前後方向に所定の間隔を開けて複数配置されているため、肩乗せユニット１０２は前後方向に複数の取付ポジションを取ることが可能である。なお、取付ネジ１２５が長穴１１５１を貫通する形でベース部材１１５を固定しているため、取付け位置の微調整を行うことが可能な構成となっている。また、本体部１０１には、肩乗せユニット１０２がどの取り付けポジションで取り付けられたかを検知する手段（不図示）を持っているものとする。
【００４３】
＜レンズ部による重心位置の変化の説明＞
次に取り付けたレンズ部１０５の違いによる重心位置の変化について図７を用いて説明する。図７（ａ）は、望遠用の重くて長いレンズ部１０５１を取り付けた状態を示す図である。図７（ｂ）は、広角用の軽くて短いレンズ部１０５２を取り付けた状態を示す図である。図７（ａ）に示すように、例えば望遠用の重くて長いレンズ部１０５１を取り付けた際には、肩乗せ型撮像装置１００の重心位置１２６は前側寄りの位置となる。
【００４４】
そして、図７（ｂ）に示すように、例えば広角用の軽く短いレンズ部１０５２を取り付けた際には肩乗せ型撮像装置１００の重心位置１２６は後ろ側寄りの位置となる。前述のように、肩乗せユニット１０２は本体部１０１に対して前後方向に複数の取付ポジションを取ることが出来る。そのため、どのようなレンズ部１０５を取りつけたとしても常に重心位置１２６の直下を肩で支える事ができ、肩乗せ型撮像装置１００を常に安定的に保持することが可能となる。
【００４５】
また、グリップユニット１０７は肩乗せユニット１０２に連結されているため、肩乗せユニット１０２をどの取付ポジションに取り付けたとしても、把持する手と肩の位置関係は一切変化しない。そのため、取り付けるレンズによらず、常に撮影者にとって最適な手と肩の位置関係を保持することが可能である。さらに、ファインダー１０３は、Ｌ字アングル１０４の第二レール１０４２に沿って前後方向に移動可能に配設されているため、肩乗せユニット１０２の位置に応じて無理の無い姿勢で撮影することが可能である。
【００４６】
スピーカー部１１０は、前述のように横長の形状をしている。これは、肩乗せユニット１０２を最も前側に取り付けたポジションから最も後ろ側に取り付けたポジションの間の距離に対して十分な長さを持っており、肩乗せユニット１０２の移動距離を覆うように配置されている。撮影者の耳の位置は撮影者の肩の直上であるため、肩乗せユニット１０２をどのポジションに取り付けたとしても、撮影者の右耳が必ずスピーカー部１１０に当接するようになっている。
【００４７】
ここで、肩乗せユニット１０２はどのポジションに取り付けられたとしても、撮影者の肩から耳までの上下方向の位置は変化しない。そのため、スピーカー部１１０は上下方向にはあまり長い必要が無い。むしろ、長すぎてしまうと、スピーカー部１１０を耳で覆う事が出来ずに音が外に漏れてしまい、効率が低くなってしまう。そのため、上下方向の長さは耳が覆える最低限の長さがあれば良く、本発明のスピーカー部１１０においては、上下方向に対して前後方向の方が２倍以上長い構成となっている。
【００４８】
なお、本発明の肩乗せ型撮像装置１００においては、本体部１０１は肩乗せユニット１０２の取り付け位置に応じて、複数個のスピーカー１１１の出力を制御するものとなっている。
【００４９】
例えば、図７（ａ）に示すように、望遠用の重くて長いレンズ部１０５１を取り付けて、肩乗せユニット１０２を最も前側に取り付けた際には、後ろ側のスピーカー１１１からの音声出力をオフとする。また逆に図７（ｂ）に示すように、広角用の軽く短いレンズ部１０５２を取り付けて、肩乗せユニット１０２を最も後ろ側に取り付けた際には前側のスピーカー１１１の出力をオフとする。この様な制御をすることによって、耳によって塞がれていない場所から音声が出力され音漏れすることがなくなり、非常に使い勝手の良いものとなる。
【００５０】
またここで、操作部１１２は、図７（ａ）に示すように、肩乗せユニット１０２を最も前側に取り付けた場合においても、接眼部１０３１よりも前側に来るように配置されている。撮影時には接眼部１０３１に目周辺を押し当て使用するため、接眼部１０３１よりも前側には顔は凸しない。そのため、操作部１１２は常に撮影者の顔の前に露出することとなり、撮影時に顔で操作部１１２を誤操作をしてしまうことが無く、非常に使い勝手の良い物となっている。
【００５１】
以上のことより、肩乗せユニット１０２がどの取り付けポジションで取り付けられたとしても、音漏れすることなく、良好な音声を聞きながら快適に撮影することが可能となる。
【００５２】
なお、本実施例においては、レンズ部１０５の違いによる重心の変化への対応を説明したが、これに限定されるものでは無く、他の場所に取りつくアクセサリーの有無や大小による重心位置１２６の変化においても同様に肩乗せユニット１０２を調整することが可能である。
【００５３】
以上、本発明をその好適な実施形態に基づいて詳述してきたが、本発明は上記実施例に示す形態のみに限定されるものではなく、本発明と同様の効果が得られるものであれば、この発明の要旨を逸脱しない範囲の様々な形態も本発明に含まれる。また、上述の実施形態の一部を適宜組み合わせてもよい。
【符号の説明】
【００５４】
１００    ‥‥肩乗せ型撮像装置
１０１    ‥‥本体部
１０２    ‥‥肩乗せユニット
１０３    ‥‥ファインダー
１０３１‥‥接眼部
１０４    ‥‥Ｌ字アングル
１０４１‥‥第一レール部
１０４２‥‥第二レール部
１０５    ‥‥レンズ部
１０５１‥‥長いレンズ
１０５２‥‥短いレンズ
１０６    ‥‥バッテリー
１０６１‥‥バッテリー保持部
１０７    ‥‥グリップユニット
１０８    ‥‥レンズマウント部
１０９    ‥‥Ｌ字アングル取付部
１１０    ‥‥スピーカー部
１１０１‥‥壁
１１０２‥‥穴部
１１１    ‥‥スピーカー
１１２    ‥‥操作部
１１３    ‥‥バッテリー取付部
１１４    ‥‥ネジ穴群
１１４１‥‥ネジ穴
１１５  ‥‥ベース部材
１１５１‥‥長穴
１１６    ‥‥前側三脚座
１１７    ‥‥後ろ側三脚座
１１８    ‥‥バー
１１９    ‥‥バーストッパー
１２０    ‥‥前側ショルダーパッド
１２１    ‥‥後ろ側ショルダーパッド
１２２    ‥‥ネジ
１２３    ‥‥凸部
１２４    ‥‥切り欠き部
１２５    ‥‥取付ネジ
１２６    ‥‥重心位置
【図１】
2018105945.tif 000003
【図２】
2018105945.tif 000004
【図３】
2018105945.tif 000005
【図４】
2018105945.tif 000006
【図５】
2018105945.tif 000007
【図６】
2018105945.tif 000008
【図７】
2018105945.tif 000009